(57)【要約】      （修正有）【課題】企業、顧客、そして口コミ情報等著作者が望む、口コミ情報等の再利用を容易に可能とする方法及びシステムを提供する。【解決手段】コンテンツ著作者は、コンテンツ情報の転載許可を表す転載許可情報を、第三者がネットワーク上で取得可能な状態に生成し、コンテンツ情報と伴に転載許可付コンテンツ情報としてネットワーク上に書き込む。転載を希望する第三者は、転載許可付コンテンツ情報の転載許可情報に基づき、口コミ情報を転載することができる。【選択図】図４
2017146862.tif 000002
【特許請求の範囲】
【請求項１】
コンテンツ情報の転載許可を表す転載許可情報を、第三者がネットワーク上で取得可能な状態に生成又は表示する転載許可情報表示部と、
前記コンテンツ情報を、前記転載許可情報表示部によって生成又は表示された前記転載許可情報と伴に、転載許可付コンテンツ情報として生成又は表示する転載許可付コンテンツ情報表示部と、
を備えたコンテンツ転載許可表示システム。
【請求項２】
前記転載許可情報が、当該転載許可情報に加えて、コンテンツ著作者情報、コンテンツ転載者情報取得情報、コンテンツ評価情報取得情報又は褒賞受取に係る情報の少なくとも何れか一つを更に含んでいる請求項１に記載のコンテンツ転載許可表示システム。
【請求項３】
前記転載許可情報が、当該転載許可情報に加えて、前記コンテンツ情報の複製、公衆送信、頒布、翻訳、翻案、編集又は著作権法上の権利、の少なくとも何れか一つに関する著作権者の意志を表示していることを、更に含んでいる請求項１から２の何れか一項に記載のコンテンツ転載許可表示システム。
【請求項４】
コンテンツ情報の転載許可を表す転載許可情報を、第三者がネットワーク上で取得可能な状態に生成又は表示する転載許可情報表示部と、
前記コンテンツ情報を、前記前記転載許可情報と伴に、転載許可付コンテンツ情報として生成又は表示する転載許可付コンテンツ情報表示部と、
前記転載許可付コンテンツ情報部によって生成又は表示された転載許可付コンテンツ情報を、ネットワーク上に表示する転載許可付コンテンツ情報掲載部と、
を備えたコンテンツ転載許可表示システム。
【請求項５】
コンテンツ情報の転載許可を表す転載許可情報を、第三者がネットワーク上で取得可能な状態に生成又は表示する転載許可情報表示部と、
前記コンテンツ情報を、前記前記転載許可情報と伴に、転載許可付コンテンツ情報として生成又は表示する転載許可付コンテンツ情報表示部と、
前記転載許可付コンテンツ情報部によって生成又は表示された転載許可付コンテンツ情報を、ネットワーク上に表示する転載許可付コンテンツ情報掲載部と、
前記転載許可付コンテンツ情報掲載部でネットワーク上に表示された前記転載許可付コンテンツ情報を、前記転載許可情報を用いて、収集し取得する転載許可付コンテンツ情報取得部と、
前記収集し取得した前記転載許可付コンテンツ情報を記憶する転載許可付コンテンツ情報記憶部と、
前記転載許可付コンテンツ情報蓄積部に蓄積した前記転載許可付コンテンツ情報を、ネットワーク上に転載し表示する転載許可付コンテンツ情報転載部と、
を備えたコンテンツ転載許可表示システム。
【請求項６】
前記転載許可付コンテンツ情報転載部で転載された前記転載許可付コンテンツ情報を、それらを視聴するユーザによって評価する転載許可付コンテンツ情報評価部と、
前記転載許可付コンテンツ情報評価部によって評価された評価値に基づき、前記転載許可付コンテンツ情報の著作者に褒賞の提供を定める著作者褒賞部と、
を備えている請求項１から３の何れか一項に記載のコンテンツ転載許可表示システム。
【請求項７】
前記転載許可付コンテンツ情報中のコンテンツ情報に記載されている商品情報やサービス情報の関連情報を、収集し取得する商品サービス情報取得手段と、
前記商品サービス取得手段によって、収集し取得した商品情報やサービス情報の関連情報を、前記コンテンツ情報と伴に、ネットワーク上に表示する商品サービス情報掲載手段と、
を更に備えている請求項１から５の何れか一項に記載のコンテンツ転載許可表示システム。
【発明の詳細な説明】
【技術分野】
【０００１】
本発明は、ネットワーク上に表示されたコンテンツ情報について、該コンテンツ情報の著作者の転載許可又は転載許諾を表示して、そのコンテンツ情報の第三者による転載と再利用を可能とするシステム及び方法に関する。
【背景技術】
【０００２】
ネットワーク上にある、商品やサービスに関する口コミ情報、評価、レビュー情報など（以下、口コミ情報等という）は、それら商品やサービスを提供する企業にとって貴重なマーケティング情報となる。
同時に、商品やサービスをこれから新たに購入又は利用するユーザ、顧客、消費者（以下、顧客等という）にとっても、これら口コミ情報等は、重要な参照データとなっている。
ここで、上記ネットワーク上のネットワークとは、例えば、個別通信を主に行うコンピュータネットワークであるインターネット、www(world wide web)などや、一斉同報を主に行う放送ネットワーク（ブロードキャスティング）など、連絡を取り合って網状になっているものを言う。
【０００３】
口コミ情報等に関する、その収集方法や分析方法などの技術に関しては、これまでにいくつか紹介されており、既に分析事業等を企業に対して展開している事例もある。
【０００４】
一方、口コミ情報等は、オリジナル情報として書かれた時点で著作権を有しており、口コミ情報等を第三者が再利用するに当たっては、その、複製、公衆送信、頒布、翻訳、翻案、編集及び著作権法上の権利等に関して、第一義的に、著作者からの許諾や許可が必要となる。
【０００５】
多くの企業や顧客等が、口コミ情報等を広く再利用できるようになれば、より良い商品、サービスの開発や、賢い顧客等の育成や顧客利便性の向上に大いに役立つ。
しかし、現状では口コミ情報等の著作者の許諾や許可を一つ一つ取得して権利関係をクリアーしていくのは、現実的に困難であり、口コミ情報等を広く再利用することができない状況にある。
【０００６】
また、口コミ情報等の著作者の中には、特定のウエッブサイト上に書き込んだ口コミ情報等を、より広く社会へ露出させて、企業や顧客等の役に立ちたいと希望する人も少なからずいる。当然ながら広く口コミ情報等を露出する際にも、著作者は、複製、公衆送信、頒布、翻訳、翻案、編集及び著作権法上の権利等に関しての彼らの意志を尊重してもらいたいと望んでいる。しかし、現状ではその望みを簡便に叶える方法やシステムは提供されていない。
【０００７】
既にサービスが始まっている口コミ情報等の収集、分析サービス事業の中には、口コミ情報等の再利用に関し、著作権者の許諾を得ていないものもあり、この状況を解決する方法、システムの開発、提供が早急に求められている。
【先行技術文献】
【特許文献】
【０００８】
【特許文献１】特開２０１２−７９２４７
【発明の概要】
【発明が解決しようとする課題】
【０００９】
口コミ情報等の再利用を望む第三者は、口コミ情報等の著作者から、その口コミ情報の再利用に関する許可、許諾を得る必要がある。
しかし、口コミ情報等がネットワーク上やそれぞれのウエッブサイトに書き込まれた後に、その口コミ情報等の著作者に、再利用の許可や許諾を個別に得るには、煩雑な行程と作業が必要となる。
【００１０】
従って、口コミ情報等の著作者が、ネットワーク上又はウエッブサイトに書き込む時に、その著作物に関して、どのような許可を与えるかを示すことができる方法・システムの提供が、現状課題の解決へ向けて有効となる。
【００１１】
加えて、ネットワーク上に記載された口コミ情報等を再利用する側が、それら大量に記載されている口コミ情報等の中から、著作者の再利用許可を得ているものか、或は得ていないものかを、明確に且つ迅速に判断できるようでなければならない。
【００１２】
また、口コミ情報等の著作者が、その再利用の許可を示すという、これまでの書き込み作業では必要なかった作業を積極的に行ってもらうために、その許可作業のインセンティブを提供することが重要となる。
【００１３】
本発明は、以上の課題を解決し、企業、顧客等そして口コミ情報等著作者が望む、口コミ情報等の再利用を容易に可能とする方法及びシステムを提供する。
【課題を解決するための手段】
【００１４】
本願第１番目の発明によるコンテンツ転載許可表示システムは、コンテンツ情報の転載許可を表す転載許可情報を、第三者がネットワーク上で取得可能な状態に生成又は表示する転載許可情報表示部と、前記コンテンツ情報を、前記転載許可情報表示部によって生成又は表示された前記転載許可情報と伴に、転載許可付コンテンツ情報として生成又は表示する転載許可付コンテンツ情報表示部とを備えている。
【００１５】
本願第２番目の発明によるコンテンツ転載許可表示システムは、コンテンツ情報の転載許可を表す転載許可情報を、第三者がネットワーク上で取得可能な状態に生成又は表示する転載許可情報表示部と、前記コンテンツ情報を、前記前記転載許可情報と伴に、転載許可付コンテンツ情報として生成又は表示する転載許可付コンテンツ情報表示部と、前記転載許可付コンテンツ情報部によって生成又は表示された転載許可付コンテンツ情報を、ネットワーク上に表示する転載許可付コンテンツ情報掲載部とを備えている。
【００１６】
本願第３番目の発明によるコンテンツ転載許可表示システムは、コンテンツ情報の転載許可を表す転載許可情報を、第三者がネットワーク上で取得可能な状態に生成又は表示する転載許可情報表示部と、前記コンテンツ情報を、前記前記転載許可情報と伴に、転載許可付コンテンツ情報として生成又は表示する転載許可付コンテンツ情報表示部と、前記転載許可付コンテンツ情報部によって生成又は表示された転載許可付コンテンツ情報を、ネットワーク上に表示する転載許可付コンテンツ情報掲載部と、前記転載許可付コンテンツ情報掲載部でネットワーク上に表示された前記転載許可付コンテンツ情報を、前記転載許可情報を用いて、収集し取得する転載許可付コンテンツ情報取得部と、前記収集し取得した前記転載許可付コンテンツ情報を記憶する転載許可付コンテンツ情報記憶部と、前記転載許可付コンテンツ情報蓄積部に蓄積した前記転載許可付コンテンツ情報を、ネットワーク上に転載し表示する転載許可付コンテンツ情報転載部とを備えている。
【００１７】
本発明によるコンテンツ転載許可表示システムは、前記転載許可付コンテンツ情報転載部で転載された前記転載許可付コンテンツ情報を、それらを視聴するユーザによって評価する転載許可付コンテンツ情報評価部と、前記転載許可付コンテンツ情報評価部によって評価された評価値に基づき、前記転載許可付コンテンツ情報の著作者に褒賞の提供を定める著作者褒賞部とをさらに備えていてもよい。
【００１８】
本発明によるコンテンツ転載許可表示システムの前記転載許可情報が、当該転載許可情報に加えて、前記コンテンツ情報の複製、公衆送信、頒布、翻訳、翻案、編集又は著作権法上の権利、の少なくとも何れか一つに関する著作権者の意志を、更に含んでいてもよい。
【００１９】
本発明によるコンテンツ転載許可表示システムは、前記転載許可付コンテンツ情報中のコンテンツ情報に記載されている商品情報やサービス情報の関連情報を、収集し取得する商品サービス情報取得手段と、前記商品サービス取得手段によって、収集し取得した商品情報やサービス情報の関連情報を、前記コンテンツ情報と伴に、ネットワーク上に表示する商品サービス情報掲載手段とをさらに備えていてもよい。
【発明の効果】
【００２０】
本発明によれば、ネットワーク上に掲載又は表示されるコンテンツ情報に、転載許可等を表す転載許可情報を、第三者がネットワーク上で取得可能な状態として表示し、コンテンツ情報等と伴にネットワーク上に掲載又は表示することで、これまで困難であったコンテンツ情報の再掲載及び再利用の許可や許諾の取得を容易とする。
よって、コンテンツ情報の再掲載、再利用を効率的に行うことを可能とし、商品・サービスを提供する企業にとってはそれら事業の改善へ役立ち、顧客等にとっては商品・サービスの購入時、利用時の参照に役立ち、コンテンツ情報の著作者にとっては情報の拡散とその評価取得に役立つことになる。
【図面の簡単な説明】
【００２１】
【図１】本発明によるコンテンツ転載許可表示システムの全体構成を示す機能ブロック図である。
【図２】図１に示されているコンテンツ転載許可情報表示部が表示するコンテンツ転載許可情報の内容構成図である。
【図３】図１に示されているコンテンツ転載許可表示システムによる転載許可付コンテンツ情報の生成又は表示に係る処理手順を示すフローチャートである。
【図４】図１に示されているコンテンツ転載許可表示システムによる転載許可付コンテンツ情報のネットワーク上への掲載に係る処理手順を示すフローチャートである。
【図５】図１に示されているコンテンツ転載許可表示システムによる、ネットワーク上に存在する転載許可付コンテンツ情報の検索、収集、取得と、取得した転載許可付コンテンツ情報のネットワーク上への転載に係る処理手順を示すフローチャートである。
【図６】図１に示されているコンテンツ転載許可表示システムによる、ネットワーク上に転載された転載許可付コンテンツ情報のユーザの評価と、その評価に基づく褒賞提供に係る処理手順を示すフローチャートである。
【発明を実施するための形態】
【００２２】
以下、図面を参照して、本発明によるコンテンツ転載許可表示システムの実施の形態を説明する。
最初に、図１を参照して、本発明によるコンテンツ転載許可表示システムの全体構成を説明する。
【００２３】
コンテンツ著作者（コンテンツ情報制作権利者又は製造者）は、予め作成してあるコンテンツ情報の第三者による転載を許可（許諾）するため、転載許可情報表示部によって転載許可情報を生成又は作成する。
転載許可情報表示部は、ネットワーク上で第三者が取得可能な状態に、転載許可情報を生成する。転載許可情報表示部は、転載許可情報を、ハッシュ値として生成してもよいし、公開暗号鍵等を用いて生成してもよいし、単に、公開可能なテキストデータ或は画像データや音声データとして生成てもよい。
【００２４】
コンテンツ著作者は、転載許可情報を生成又は作成した後、予め作成していたコンテンツ情報に、転載許可情報を付加して、該コンテンツ情報の第三者による転載を許可するようになされている。
また、場合によっては、第三者が作成した転載許可情報を、コンテンツ著作者が取得し又は取得し編集し又は複製し、制作したコンテンツ情報に付加することでもよい。
【００２５】
転載許可情報表示部が、転載許可情報を、第三者がネットワーク上で取得可能な状態で、生成又は作成する。第三者が、ネットワーク上で取得可能な状態とは、第三者がネットワークを介して接続するネットワーク上で、例えば、検索可能な状態であることである。ネットワーク上で検索可能な状態とするためには、例えば、公開されたテキスト情報や公開されたID（コンテンツID、管理者ID、ファイル形式ID、サービス名ID等。但し、公開されたID
とは、第三者がネットワーク上で検索可能なデータであれば、ここで挙げたものに限るものではない）、公開された鍵、公開された波形（例えば音声波形等）や周波数などである。
【００２６】
転載許可情報が、該転載許可情報に加えて、そのコンテンツ情報の複製、公衆送信、頒布、翻訳、翻案、編集又は著作権法上の権利、の少なくとも何れか一つに関する著作権者の意志を表示していることを、更に含んでいてもよい。
【００２７】
また、転載許可情報が、該転載許可情報に加えて、コンテンツ著作者情報、コンテンツ転載者情報取得情報、コンテンツ評価情報取得情報の少なくとも何れか一つを、更に含んでいても良い。（図２参照）
ここで、コンテンツ著作者情報とは、コンテンツ著作者の情報であり、例えば、著作者の識別情報（（例えばメールアドレス、何らかのID、瞬時に付与されるナンバー・記号等、その他）、名前、ニックネーム、著作者の各種連絡先（例えばメールアドレスや電話番号等）、褒賞等受取に係る情報（住所、金融機関情報、各種ポイント管理者情報等）である。但し、コンテンツ著作者情報の内容は、本発明のサービスが可能となるものであれば、ここに挙げた内容に限るものではなく、どのようなものであってもよい。
【００２８】
また、コンテンツ転載者情報取得情報とは、コンテンツ著作者のコンテンツ情報を転載する第三者情報を取得する情報である。即ち、例えば、どのような第三者が、どのような場所で、何時、どのような目的で、コンテンツ著作者のコンテンツ情報を転載するか、という情報を取得する情報である。
上記「情報を取得する情報」とは、例えば、コンテンツの転載を希望する第三者が、コンテンツ著作者が生成した転載許可情報付コンテンツ情報を、ネットワークを介して取得する際又は他の場所に転載する際に、コンテンツ著作者がコンテンツ転載者情報を取得することを表示し、該転載希望者の情報（識別情報と成り得る電子情報等）を、記入させるまたは読み取るなどして、ネットワークを介して取得するための情報である。
コンテンツ転載希望者情報として自動的に読み取り送信される情報は、例えば、コンテンツ転載希望者のIPアドレスやコンテンツ転載希望者が利用するSNS利用者情報や、コンテンツ転載希望者が転載許可付コンテンツ情報を転載したネットワーク上の場所（URL）情報、転載許可付コンテンツ情報を転載した時間などである。但し、コンテンツ転載者情報取得情報は、これらすべてを取得するものでなくてもよい。
コンテンツ転載者情報取得情報は、java script(商標登録)、PHP, Ruby 等のプログラムで作成又は構成されていてもよい。コンテンツ転載希望者情報として自動的に送信される情報は、例えば、コンテンツ転載希望者のIPアドレスやコンテンツ転載希望者が利用するSNS利用者情報や、コンテンツ転載希望者が転載許可付コンテンツ情報を転載したネットワーク上の場所（URL）情報、転載許可付コンテンツ情報を転載した時間などである。
但し、コンテンツ転載者情報取得情報の内容や方法は、本発明のサービスが可能となるものであれば、ここに挙げた内容や方法に限るものではなく、どのようなものであってもよい。
【００２９】
コンテンツ評価情報取得情報とは、コンテンツ著作者のコンテンツ情報が、第三者によって転載され、その転載されたコンテンツ情報が、それを視聴したコンテンツ視聴者に評価された結果を、取得する情報である。
コンテンツ評価情報取得情報は、java script(商標登録)、PHP, Ruby 等のプログラムで作成又は構成されていてもよい。但し、コンテンツ転載者情報取得情報の内容や方法は、本発明のサービスが可能となるものであれば、ここに挙げた内容や方法に限るものではなく、どのようなものであってもよい。
【００３０】
転載許可付コンテンツ情報表示部が、コンテンツ著作者が予め作成したコンテツ情報に、転載許可情報表示部で生成又は作成した転載許可情報を、付加させて、転載許可付コンテンツ情報を生成又は作成する。
【００３１】
転載許可付コンテンツ情報掲載部は、コンテンツ著作者が、上記転載許可付コンテンツ情報を、ネットワークを介して、ネットワーク上に、掲載するためのものである。
コンテンツ著作者は、転載許可付コンテンツ情報掲載部によって、所有するパソコンやスマートフォンなどネットワークを介して情報の送受信可能な情報端末を用いて、例えば、コンテンツ著作者が登録しているwebサイト上に上記転載許可付コンテンツ情報を掲載したり、独自で運営するサーバに、FTPによってアップロードして掲載したりすることができる。
【００３２】
コンテンツ転載希望者は、転載許可付コンテンツ情報取得部によって、ネットワーク上に存在する多数のコンテンツ情報の中から、転載許可付コンテンツ情報の転載許可情報を用いて、ネットワーク上を検索し、転載許可付コンテンツ情報を探すことが可能となる。例えば、パソコン等情報通信端末機器の送受信部によって、world wide web上にある検索エンジンサイトに接続し、転載許可情報を用いて、転載許可付コンテンツ情報を検索することができる。
【００３３】
コンテンツ転載希望者は、検索web等を利用して検索し、収集、取得（ダウンロード）した転載許可付コンテンツ情報を、コンテンツ転載希望者のパソコン等情報機器端末の記憶装置や外付けの記憶装置、或はネットワークを介して接続可能な蓄積用サーバ等の記憶部に記憶することができる。
【００３４】
コンテンツ転載希望者は、パソコン等情報機器端末等の記憶部に記憶した転載許可付コンテンツ情報を読出し、転載許可付コンテンツ情報転載部によって、コンテンツ転載希望者が転載を希望するネットワーク上の場所に、ネットワークを介して接続し、転載することができる。
【００３５】
コンテンツ転載希望者が取得した転載許可付コンテンツ情報の転載許可情報中に、コンテンツ転載者情報取得情報があり、コンテンツ転載希望者の情報を報告する旨の要求をネットワーク介して受信した場合には、その要求に従ってコンテンツ転載希望者情報をコンテンツ著作者に送信する。但し、転載許可情報中に、コンテンツ転載者情報取得情報が含まれていても、コンテンツ転載希望者に対して、コンテンツ転載希望者情報の報告要求を表示しない場合がある。その場合は、コンテンツ転載者情報取得情報が、コンテンツ転載希望者情報を、ネットワークを介して、コンテンツ転載希望者の情報端末の送受信部によって、コンテンツ著作者に、自動的に送信することもある。コンテンツ転載希望者情報として自動的に送信される情報は、例えば、コンテンツ転載希望者のIPアドレスやコンテンツ転載希望者が利用するSNS利用者情報や、コンテンツ転載希望者が転載許可付コンテンツ情報を転載したネットワーク上の場所（URL）情報、転載許可付コンテンツ情報を転載した時間などである。但し、本発明の実施においては、転載許可情報中に、コンテンツ転載者情報取得情報が含まれない場合もある。
【００３６】
コンテンツ転載希望者によって、ネットワーク上の他の場所へ転載した転載許可付コンテンツ情報は、一般ユーザによって広く視聴される。但し、他の場所へ転載した転載許可付コンテンツ情報が、会員登録した限られたユーザに視聴されることでもよい。
【００３７】
他の場所へ転載された転載許可付コンテンツ情報は、転載許可付コンテンツ情報評価部によって、それを視聴するユーザによる評価を受けることができる。
多くのユーザによって評価された転載許可付コンテンツ情報は、そのコンテンツ著作者が評価されるということを意味する。
転載許可付コンテンツ情報評価部の評価方法は、例えば、５点満点で何点かなど、点数評価にすることが好ましい。
ユーザが転載許可付コンテンツ情報評価部で評価した評価値は、転載許可付コンテンツ情報が転載されているwebサイト等に、ネットワークを介して、反映されるようになっている。
【００３８】
ユーザが視聴する転載許可付コンテンツ情報の転載許可情報にコンテンツ評価情報取得情報が含まれる場合、ユーザが転載許可付コンテンツ情報評価部で評価した点数又は点数の合計、閲覧された回数や時間などが、ネットワークを介して、コンテンツ著作者へ送信されるようになされている。但し、コンテンツ評価情報取得情報は、これらすべての情報を取得しなくてもよい。
【００３９】
コンテンツ転載希望又は第三の会社や組織等が、転載許可付コンテンツ情報評価集計部によって、ユーザが評価した転載許可付コンテンツ情報の評価を集計する。
転載許可付コンテンツ情報評価集計部は、ユーザの評価値を集計し、集計評価値の高い転載許可付コンテンツ情報の順に表示する。
【００４０】
コンテンツ転載希望又は第三の会社や組織等が、著作者褒賞部によって、転載許可付コンテンツ情報評価集計部が集計した評価値に基づき、転載許可付コンテンツ情報のコンテンツ著作者へ、転載許可情報中のコンテンツ著作者情報を用いて、ネットワークを介して、褒賞を提供する又は褒賞を提供する旨の報告をする。
著作者褒賞部によって、ネットワークを介して提供する褒賞とは、例えば、ネットワーク上で利用できるポイント提供などがある。上記「褒賞を提供する旨の報告をする。」場合には、後日、褒賞として、例えば、各種商品券、各種機器、本、現金など、あらゆるサービスや商品、現金、金融商品などを提供することができる。
これによって、コンテンツ著作者が、積極的に有益なコンテンツを作成し、転載許可付コンテンツ情報として、ネットワーク上に掲載することを支援することができるので、その結果として、ユーザや企業がより良いマーケティング情報を視聴し、手に入れることが可能となる。
【００４１】
著作者褒賞部によるコンテンツ著作者への褒賞提供は、予め一定の評価値を定めておいて、その評価値を超えた評価値を獲得したコンテンツ著作者へ、褒賞を提供するとうことでもよい。この場合には、コンテンツ著作者が、コンテンツ情報評価の集計等を確認しながら、褒賞提供を待つことができる。
【図１】
2017146862.tif 000003
【図２】
2017146862.tif 000004
【図３】
2017146862.tif 000005
【図４】
2017146862.tif 000006
【図５】
2017146862.tif 000007
【図６】
2017146862.tif 000008